(57)【要約】【課題】必要に応じて所定の情報を視認させることの可能な遊技機を提供する。【解決手段】パチンコ機１は、外枠２と、該外枠２の前部に設けられ外枠２の一側部にて開閉可能に支持された前面枠３とを備えている。前面枠３の前面側には、ガラス扉枠４が設けられている。ガラス扉枠４の一対のガラス板のうち、内側、すなわち、遊技盤５側のガラス板の液晶表示部２０に相対する部位には、通常は視認困難な表示手段が取着されている。遊技盤５の所定部位に光を照射可能な光源４４が設置されている。そして、所定条件が成立した場合には、光源４４からの光が照射され、表示手段に予め付された所定の情報が外部から視認可能となる。【選択図】　　　　　図１
2004065948.tif 000002
【特許請求の範囲】
【請求項１】
所定の情報が予め付されてなる透視可能な表示手段を有し、前記所定の情報を視認困難な状態から視認可能な状態となるよう浮像させる照射手段を備えてなる遊技機。
【発明の詳細な説明】
【０００１】
【発明の属する技術分野】
本発明は、遊技機に関するものである。
【０００２】
【従来の技術】
従来、本体部に遊技領域が設けられたパチンコ機等の遊技機が知られている。例えば、パチンコ機にあっては、外枠とその前部に設けられた前面枠とを有する本体部を備え、前面枠には、遊技領域を構成する遊技盤が着脱可能に装着されている。前面枠の前面側には、ガラス板を具備するガラス扉枠が、開閉可能に設けられている。
【０００３】
近年、ガラス板をはじめとして遊技機の各種部位に所定の情報の付されたシールを取着することで、遊技者に前記所定の情報を提供することが行われることがある（例えば、特許文献１参照。）。
【０００４】
【特許文献１】
特開２００１−１４９５３３号公報
【０００５】
【発明が解決しようとする課題】
しかし、上記シール等の存在により遊技領域等が視認しづらくなってしまったり、遊技機の外観品質を低下させてしまうおそれがある。
【０００６】
これに対し、取着されるシールとして透明シールを採用することも考えられる。ところが、この場合、情報自体が視認しづらくなり、情報の内容を的確に伝達することが困難となってしまうおそれがある。
【０００７】
本発明は、上述した問題に鑑みてなされたものであって、その目的は、必要に応じて所定の情報を視認させることの可能な遊技機を提供することにある。
【０００８】
【課題を解決するための手段及び発明の効果】
上記の目的を達成するために有効な手段を以下に示す。なお、必要に応じてその作用効果等についても説明する。
【０００９】
手段１．所定の情報が予め付されてなる透視可能な表示手段を有し、前記所定の情報を視認困難な状態から視認可能な状態となるよう浮像させる照射手段を備えてなる遊技機。
【００１０】
手段１によれば、表示手段が存在していても、照射手段による照射によって視認が困難となっている所定の情報が視認可能となるよう浮像させられるため、遊技者は通常その存在に拘泥されることなく、遊技を行うことができる。一方、表示手段よりも照射手段からの光が照射された場合、その照射に基づき、表示手段に付された所定の情報が視認される。従って、必要に応じて所定の情報を視認することができる。
【００１１】
手段２．前記照射手段は、前記表示手段よりも内側に配設されていることを特徴とする手段１に記載の遊技機。
【００１２】
手段２によれば、照射手段の設置に際し、困難性を伴いにくい。
【００１３】
手段３．奥側を透視可能で、かつ、視認が困難となるよう所定の情報が予め付されてなる表示手段と、
前記表示手段よりも内側に設けられた照射手段と
を備え、前記照射手段の光源から光が照射されることに基づき、前記所定の情報を視認困難な状態から視認可能な状態へと浮像可能に構成したことを特徴とする遊技機。
【００１４】
手段３によれば、表示手段が存在していても、通常は視認が困難となっているため、遊技者はその存在に拘泥されることなく、遊技を行うことができる。一方、表示手段よりも内側に設けられた照射手段の光源からの光が照射された場合、その照射に基づき、表示手段に付された所定の情報が視認可能な状態へと浮像させられる。従って、必要に応じて所定の情報を視認することができる。また、表示手段よりも内側に光源を設けることで上記作用効果が奏されることから、表示手段を外側、つまり、遊技者側に設置することが可能となり、光源の設置位置に苦慮するおそれもない。なお、「浮像」とあるのは、それまで視認不能又は困難であった像（情報）があたかも浮き出るかのように視認可能な状態となることを主としていう。
【００１５】
手段４．通常は視認が困難となるよう所定の情報が予め付されてなる透明又はほぼ透明で、かつ、シート状又は板状の表示手段と、
前記表示手段よりも内側に設けられた照射手段と
を備え、前記照射手段の光源からの光が照射されることに基づき、前記所定の情報を、それまでの視認困難な状態から視認可能な状態へと切り換えられるよう構成したことを特徴とする遊技機。
【００１６】
手段４によれば、シート状又は板状の表示手段が存在していても、通常は視認が困難となっており、かつ透明性を有するため、遊技者はその存在に拘泥されることなく、遊技を行うことができる。一方、表示手段よりも内側に設けられた照射手段の光源からの光が照射された場合、その照射に基づき、表示手段に付された所定の情報が外部から視認される。従って、必要に応じて所定の情報を視認することができる。また、表示手段よりも内側に光源を設けることで上記作用効果が奏されることから、表示手段を外側、つまり、遊技者側に設置することが可能となり、光源の設置位置に苦慮するおそれもない。さらに、表示手段がシート状又は板状をなしているため、所定の情報を面で表示することができ、しかも、表示手段を所定部位に取着すればよいため、設置スペース上の自由度が比較的高いものとなる。なお、「通常は」とあるのを「常には」としてもよい。
【００１７】
手段５．前記照射手段は、前記表示手段に相対向する部位とは相違する部位に設けられていることを特徴とする手段１乃至４のいずれかに記載の遊技機。
【００１８】
手段５によれば、照射手段からの光が、表示手段に対し斜めに当たることとなる。従って、光が斜めから当たることによってはじめて視認可能となるよう表示手段が構成されている場合には、上記作用がより確実に奏されることとなる。また、通常は、表示手段と光源との関係が把握しづらいものとすることができ、当該関係を把握できたときの面白味を高めることもできる。
【００１９】
手段６．前記照射手段は、前記表示手段よりも下方に設けられていることを特徴とする手段１乃至５のいずれかに記載の遊技機。
【００２０】
手段６によれば、照射手段が、前記表示手段よりも下方に設けられていることから、遊技者にとって照射手段の存在を比較的気付きにくいものとすることができる。なお、「前記遊技機は、識別情報を変動表示可能な可変表示装置を備え、前記照射手段は、前記可変表示装置よりも下方に設けられていること」としてもよい。この場合、遊技者は可変表示装置の表示態様を注視しやすく、照射手段の存在をより確実に気づきにくくすることができる。結果として、通常時における可変表示装置等での演出が阻害されにくい。
【００２１】
手段７．前記照射手段からは、前記表示手段に対し、所定の入射角で光が照射可能に構成されていることを特徴とする手段１乃至６のいずれかに記載の遊技機。
【００２２】
なお、前記所定の入射角は、２０度以上７０度以下であることとしてもよいし、３０度以上６０度以下であることとしてもよいし、略４５度であることとしてもよい。
【００２３】
手段８．本体部と、本体部の前面側に設けられた前面扉体とを備え、
前記表示手段は、前記前面扉体に取着され、前記照射手段は本体部側に設けられていることを特徴とする手段１乃至７のいずれかに記載の遊技機。
【００２４】
手段８によれば、前面扉体に照射手段を設けなくてもよい分だけ、前面扉体にかかる負荷（例えば重量負荷）を軽減することができる。
【００２５】
なお、「前記前面扉体は、ガラス等の透明板を備え、前記表示手段は、前記透明板に取着されていること」としてもよい。この場合、表示手段が透明性を有することで、奥側の視認性がより確実に確保される。
【００２６】
手段９．前記本体部には、所定の契機に基づき識別情報を変動表示可能な可変表示装置が設けられているとともに、前記表示手段は、前記可変表示装置に相対して設けられていることを特徴とする手段８に記載の遊技機。
【００２７】
手段９によれば、表示手段が可変表示装置に相対して設けられているため、可変表示装置での所定の演出と表示手段での所定の情報の表示とをリンクさせることができる。その結果、興趣の飛躍的な向上を図ることができる。
【００２８】
手段１０．前記表示手段と前記可変表示装置の表示部とがほぼ同一形状で、かつ、ほぼ同一サイズをなすようにしたことを特徴とする手段９に記載の遊技機。
【００２９】
手段１０によれば、上記作用効果がより確実に奏される。また、表示手段での視認が可能となったときに、浮上感（立体感）を導出することができ、今までにない面白みを味わうことが可能となる。
【００３０】
手段１１．前記本体部には、略鉛直方向に延びる遊技領域が設けられ、前記前面扉体は前記遊技領域に対し相対する透明部材を含むものであって、前記表示手段は前記透明部材に取着され、前記照射手段は前記遊技領域側に設けられていることを特徴とする手段８乃至１０のいずれかに記載の遊技機。
【００３１】
手段１１によれば、表示手段が透明部材に取着されることで、表示手段が透明に構成されている場合には、表示手段、透明部材の合わせての透明性を担保できる。このため、透明な空間に浮かび上がるかの如く所定の情報を視認することができ、これにより興趣の向上が図られる。
【００３２】
手段１２．前記本体部（又は遊技領域）には、可動部材が設けられ、前記表示手段は、前記可動部材の前面側に設けられていることを特徴とする手段８乃至１１のいずれかに記載の遊技機。
【００３３】
手段１２によれば、従来では考えられなかった可動部材の前面側において表示演出が可能となり、今までにはない面白みが付与される。なお、可動部材としては、風車やその他の可動役物等が挙げられる。
【００３４】
手段１３．前記本体部には、所定の契機に基づき識別情報を変動表示可能な可変表示装置が設けられているとともに、前記表示手段は、前記前面扉体のうち前記可変表示装置とは離間した位置であって、所定のパネル部に設けられていることを特徴とする手段８に記載の遊技機。
【００３５】
手段１３によれば、表示手段が可変表示装置を阻害することがなく、しかも、例えば機種名等の情報を表示するパネル部に取着することで、上記作用効果をもって遊技者に視認することができる。結果としてパネル部に設けられた表示手段の所定情報（例えば機種名）を覚えさせやすくすることができる。
【００３６】
手段１４．本体部と、本体部の前面側に設けられた前面扉体とを備え、
前記本体部及び前記前面扉体のうち少なくとも一方には、遊技媒体を貯留する貯留手段（例えば上皿、下皿）が設けられ、前記表示手段は前記貯留手段に取着されていることを特徴とする手段１乃至１３のいずれかに記載の遊技機。
【００３７】
手段１４によれば、例えば普段は視認する機会の少ない貯留手段であっても、そこにおいて所定の情報を視認せしめることができる。その結果、例えば貯留手段において遊技媒体が満杯状態となっているようなときには、「遊技媒体を取り出して下さい」等のメッセージ的要素の強い情報を視認させることも可能となる。
【００３８】
手段１５．前記貯留手段は中空部を有する中空構造をなし、該中空部内に前記照射手段が設けられていることを特徴とする手段１４に記載の遊技機。
【００３９】
手段１５によれば、中空部の有効活用を図ることができ、照射手段の存在によって他の部材の設置スペースが阻害されてしまうといった不具合を回避できる。
【００４０】
手段１６．所定条件が満たされた場合にのみ、前記照射手段からの光の照射を行うよう制御する照射制御手段を設けたことを特徴とする手段１乃至１５のいずれかに記載の遊技機。
【００４１】
手段１６によれば、種々の演出効果を高めたりすることができ、時と場合に応じたメッセージの伝達等も可能となる。なお、照射制御手段としては、パチンコ機等の遊技機においては、ランプ制御手段が該当しうる。
【００４２】
手段１７．前記照射手段は複数設けられており、各照射手段の照射の有無が切換可能となっており、かつ、前記切換に基づき、外部からの前記所定の情報の視認態様が相違するよう前記表示手段が構成されていることを特徴とする手段１乃至１６のいずれかに記載の遊技機。
【００４３】
手段１７によれば、照射が適宜切り換えられることにより、所定の情報の視認態様が相違するため、かかる相違による演出等が可能となる。なお、「各照射手段の照射の有無が別々に切換可能となっている」場合には、視認態様に関し一層のバリエーションをもたせることができる。
【００４４】
手段１８．前記照射手段は移動可能に設けられており、かつ、該照射手段の移動に基づき、前記所定の情報の視認態様が相違するよう前記表示手段が構成されていることを特徴とする手段１乃至１７のいずれかに記載の遊技機。
【００４５】
手段１８によれば、光源が移動させられることにより、所定の情報の視認態様が相違するため、かかる相違による演出等が可能となる。
【００４６】
手段１９．前記表示手段が複数箇所に設けられていることを特徴とする手段１乃至１８のいずれかに記載の遊技機。
【００４７】
手段１９によれば、多様な演出が可能となり、また、可変表示装置が設けられているような場合には、該可変表示装置との相乗的な表示演出が可能となり、今までにはない興趣を導出できる。
【００４８】
手段２０．前記各表示手段に対応して照射手段（光源）が設けられていることを特徴とする手段１乃至１９のいずれかに記載の遊技機。
【００４９】
手段２０によれば、各表示手段における所定の情報の選択的な視認を導出させやすい。結果として、演出に一層の厚みを持たせることができる。
【００５０】
手段２１．前記照射手段とは別に、所定の発光手段を具備してなり、前記照射手段の照射が行われる場合には、前記発光手段の発光を抑制するよう構成したことを特徴とする手段１乃至２０のいずれかに記載の遊技機。
【００５１】
手段２１によれば、発光手段の発光が抑制されることで、前記照射手段の照射が一層引き立つこととなり、遊技者は、表示手段を注視しやすく、所定の情報を視認させやすいものとすることができる。尚、所定の発光手段としては、演出用の発光手段、識別情報が変動表示される可変表示装置、遊技領域等に設けられた各種ランプ等が挙げられる。また、発光を抑制することには、消灯することの外、光量を抑えること、発光面を暗く（例えば黒く）すること等が挙げられる。
【００５２】
手段２２．手段１乃至２１のいずれかにおいて、遊技機はパチンコ遊技機であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置の表示部において変動表示されている識別情報が所定時間後に確定停止表示されることが挙げられる。また、特別遊技状態発生時には遊技領域内の所定の位置に配置された可変入賞装置が所定の態様で開放されて遊技球を入賞可能とし、その入賞個数に応じた有価価値（景品球等のみならず、磁気カードへの書き込み等も含む）が付与されることが挙げられる。なお、パチンコ遊技機の場合、外枠及び前面枠等により本体部が構成され、ガラス扉枠により前面扉体が構成されたりする。
【００５３】
手段２３．手段１乃至２１のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定停止表示する可変表示手段を本体ボックス内に備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、本体ボックスにより本体部が構成され、前面パネルにより前面扉体が構成されたりする。この場合、前面パネルの下部には機種名を表示するための表示領域が設けられる。
【００５４】
手段２４．手段１乃至２１のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定停止表示する可変表示手段を本体ボックス内に備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、本体ボックスにより本体部が構成され、前面パネルにより前面扉体が構成されたりする。
【００５５】
【発明の実施の形態】
（第１の実施の形態）
以下、パチンコ遊技機（以下、単に「パチンコ機」という）の第１の実施の形態を、図面に基づいて詳細に説明する。
【００５６】
図１に示すように、パチンコ機１は、外枠２と、該外枠２の前部に設けられ外枠２の一側部にて開閉可能に支持された前面枠３とを備えている。本実施の形態では、外枠２及び前面枠３により本体部が構成される。
【００５７】
前面枠３の前面側には、前面扉体を構成するガラス扉枠４が設けられている。ガラス扉枠４は、透明な前後一対のガラス板Ｇ（図２，３参照）を備えている。前面枠３の後部（ガラス扉枠４の奥、外枠２の内側）には、遊技領域を具備する遊技盤５が着脱可能に装着されている。
【００５８】
ガラス扉枠４の下方には、遊技媒体としての遊技球Ｂを貯留するための上皿６の一体形成された前飾り枠９が設けられている。また、前面枠３の前面下部には、左右方向ほぼ中央部において下皿７が設けられている。上皿６及び下皿７は払出部を構成する。下皿７の側部には、遊技球発射用ハンドル８が設けられている。ハンドル８は図示しない遊技球発射装置に連結されており、遊技者がハンドル８を回転させることにより、遊技球Ｂが遊技球発射装置から発射される。
【００５９】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００６０】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００６１】
可変表示装置１４は、液晶表示部２０と、該液晶表示部２０を囲むように設けられたセンターフレーム２１とを備えている。液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００６２】
より詳しくは、可変表示装置１４の下方に設けられた作動チャッカー１３に遊技球Ｂが入賞することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００６３】
また、周知のとおり、前記普通入賞チャッカー１１、可変入賞装置１２、作動チャッカー１３に遊技球Ｂが入賞することに基づいて、上皿６又は下皿７に対し所定数の景品球（遊技球Ｂ）が払い出される。また、遊技盤５には、遊技球Ｂの流下方向を適宜分散、調整等するために多数の釘が植設されているとともに、風車等の各種部材（役物）が配設されている。
【００６４】
次に、本実施の形態の特徴部分の構成について説明する。図２，３に示すように、本実施の形態では、ガラス扉枠４の一対のガラス板のうち、内側、すなわち、遊技盤５側のガラス板Ｇの前記液晶表示部２０に相対する部位には、表示手段を構成する特殊シート４１が取着されている。本実施の形態では、特殊シート４１はホログラムシール４２及びハーフミラーシール４３によって構成されている。ホログラムシール４２は、前記ガラス板Ｇの遊技盤５側の面に取着されている。また、ホログラムシール４２は、所謂反射型のホログラムによって構成されており、所定の波長領域の光を回折可能となっている。さらに、ハーフミラーシール４３は、ホログラムシール４２に対応するようにして前記ガラス板Ｇの外側の面に取着されている。併せて、当該ハーフミラーシール４３における、反射光と透過光との比は１対１に設定されている。なお、ハーフミラーシール４３を取着する代わりに、ガラス板Ｇ自身をハーフミラーガラスにより構成してもよい（この場合、ハーフミラーガラス及びホログラムシールにより表示手段が構成される）。
【００６５】
前記ホログラムシール４２には、所定の情報としての「ハート形状のマーク」及び「確変次回も続くよ」なる文字が（以下、単にマーク等）予め付されている。通常は、当該マーク等は視認不能又は視認困難となっている。そして、特殊シート４１の内側から所定の入射角からの光が照射されることで、前記マークが外部から視認されるようになっている。本実施の形態では、遊技盤５の所定部位に前記光を照射可能な照射手段としての光源４４が設置されている。すなわち、遊技盤５のうち、前記作動チャッカー１３とセンターフレーム２１との中間位置には開口が形成されており、該開口にハウジング４５が固定されている。該ハウジング４５内にはベース部４６が設けられ、該ベース部４６には基板４７が取付けられている。そして、該基板４７に対し光源４４が設けられている。光源４４を構成するものとしては、特に限定されるものではないが、例えばＬＥＤであってもよいし、白熱灯であってもよいし、ハロゲンランプであってもよい。そして、該光源４４からの光が前記特殊シート４１に対し、下方から略４５度の角度で照射（入射）されるよう構成されている。さらに、前記ハウジング４５には前記光源４４を保護すべく樹脂製の透明カバー４８が取着されている。当該透明カバー４８は前記遊技盤５面とほぼ面一となるよう設定されている。
【００６６】
本実施の形態におけるパチンコ機１には、主たる制御を司る主基板をはじめとして、液晶表示部２０の制御を装置を司る表示装置基板、音声の制御を司る音声制御基板、ランプ等の制御を司るランプ制御基板、その他各種の制御基板が搭載されている（いずれも図示略）。主基板は、それ以外の制御基板等に対し、各種コマンドを出力するとともに、そのコマンドを受けた制御基板は、当該コマンドに基づく制御を実行する。
【００６７】
前記光源４４は、ランプ制御基板によって制御される。より詳しくは、主基板が、大当たり状態（特別遊技状態）時に、表示制御基板に対し、所定のコマンドを出力することがある。また、このとき、主基板は、ランプ制御基板に対し、次回の遊技モード（通常モード又は該通常モードよりも大当たりとなる確率の高められた確率変動モード（確変モード）の教示を行うべく、所定のコマンドを出力することがある。かかるコマンドを受けたランプ制御基板は、前記光源４４を点灯制御する。つまり、ランプ制御基板によって確変モードに突入する旨を教示する所謂「確変モード」教示制御が実行される。
【００６８】
光源４４が点灯されると、光源４４から斜め上方、すなわち、前記特殊シート４１に向けて光が照射される。当該照射された光は、ホログラムシール４２を透過する。透過した光は、前記ハーフミラーシール４３により約５割反射する。このとき、前記ホログラムシール４２により、特定の波長領域の光が回折し、当該回折した特定波長領域の光がハーフミラーシール４３において約５割透過する。その透過した光が外部から視認される。つまり、図４に示すように、液晶表示部２０に対応する部位においてマーク等が浮かび上がるようにして外部から視認可能となる。
【００６９】
以上のように、本実施の形態によれば、特殊シート４１がガラス板Ｇに取着されているが、通常は当該シート４１（マーク等を含む）が視認困難となっているため、遊技者はその存在に拘泥されることなく、遊技を行うことができる。つまり、従来では、確変モードを付与する図柄を紹介する等の目的のために、ガラス板に対し、確変モード付与図柄等を列挙してなるシールを取着することが行われており、この場合、該シールにより遊技領域が遮られる等の不具合があった。これに対し、本実施の形態では、通常はマーク等を含む特殊シート４１が視認困難であるため、遊技領域が遮られる等の不具合がない。その結果、遊技者に不快感等を与えることが少なく、外観品質の低下を抑制できる。
【００７０】
また、モード教示が行われる場合、特殊シート４１よりも内側に設けられた光源４４からの光が照射され、その照射に基づき、マークが外部から視認可能となる。このように、特殊シート４１の存在に気づかせなかったり、逆に所定の情報を視認させたりすることを必要に応じて行うことができる。つまり、本実施の形態では、次回の遊技モードとして確変モードが付与されるのか通常モードが付与されるのかを液晶表示部２０や、他のシール部材等に頼ることなく教示することができるとともに、かかる教示態様に今までにはない面白味を盛り込むことができる。結果として興趣の飛躍的な向上を図ることができる。
【００７１】
また、ホログラムに付された情報を外部から視認させようとした場合、一般には外部側から光を照射しなければならないところ、本実施の形態では、ハーフミラーシール４３を組み合わせた特殊シート４１を採用することで、該特殊シート４１よりも内側に光源４４を設けた上で上記作用効果を奏せしめることができる。その結果、光源４４の設置位置に苦慮するおそれを払拭することができる。
【００７２】
さらに、特殊シート４１がシート状をなし、二枚のシール４２，４３により構成されているため、所定の情報（マーク）を面で表示することができ、しかも、形状的制約が比較的少なく、設置スペース上、形状上の自由度が比較的高いものとなる。併せて、重量的負担も少なくて済む。また、光源４４としてＬＥＤを用いたような場合には、コストの増大が抑制され、電源的な負担を比較的少なくできる。
【００７３】
また、映像を投影する訳ではなく、あくまでも光源４４からの光を照射するだけでよいので、光源４４側、つまりハウジング４５側の構成を著しくコンパクトなものとすることができる。結果として、コストの増大を抑制でき、遊技領域の有効活用を図ることができる。
【００７４】
（第２の実施の形態）
上記第１の実施の形態では、液晶表示部２０に相対する部位に、該液晶表示部２０の形状に対応した略矩形状の特殊シート４１を取着することとしている。この点、特殊シートの形状は何ら限定されるものではなく、例えば、第２の実施の形態のように構成することもできる。
【００７５】
図５に示すように、本実施の形態では、センターフレーム２１を含む可変表示装置１４及びその上方に配設された可動部材としての一対の風車２９Ａ，２９Ｂに対応するようにして特殊シート６１が配置されており、当該特殊シート６１は、第１の実施の形態よりも大型となっている。また、本実施の形態においても、上記第１の実施の形態と同様、特殊シート６１はホログラムシール及びハーフミラーシールによって構成されている。
【００７６】
前記ホログラムシールには、所定の情報としての「確変」の文字（以下、単にマーク等という）が予め付されている。当該マーク等は、液晶表示部２０をはみ出すほど大きく記されている。通常は、当該マーク等は視認不能又は視認困難となっている。そして、特殊シート６１の内側の光源（図示略）から所定の入射角からの光が照射されることで、前記マーク等が外部から視認されるようになっている。
【００７７】
本実施の形態では、主基板が、大当たり状態（特別遊技状態）時に、表示制御基板、ランプ制御基板に対し、次回の遊技モードの教示を行うべく、所定のコマンドを出力することがある（いわゆる再抽選教示コマンド）。より詳しくは、例えば、表示部２０において、大当たり図柄が確定停止表示された後に、次回以降の遊技状態を確変モードとするか、通常モードとするかを液晶表示部２０等において、「再抽選」と称して行う場合がある。
【００７８】
本実施の形態では、再抽選が行われる場合には、まず、大当たり図柄停止後、図６（ａ）に示すように、液晶表示部２０において「再抽選だよ」の文字が表示され、これから再抽選が行われる旨が遊技者に教示される。
【００７９】
通常モードとされる場合には、所定時間経過後、表示部２０において、例えば「残念」「通常モード」の旨が表示される。これに対し、確変モードとされる場合には、所定時間経過後、ランプ制御基板は、前記光源を点灯制御する。つまり、ランプ制御基板によって確変モードに突入する旨を教示する所謂「確変モード」教示制御が実行される。
【００８０】
光源が点灯されると、光源から斜め上方、すなわち、前記特殊シート６１に向けて光が照射される。当該照射された光は、ホログラムシールを透過する。透過した光は、前記ハーフミラーシールにより約５割反射する。このとき、前記ホログラムシールにより、特定の波長領域の光が回折し、当該回折した特定波長領域の光がハーフミラーシールにおいて約５割透過する。その透過した光が外部から視認される。つまり、図６（ｂ）に示すように、液晶表示部２０に対応する部位において前記マーク等が浮かび上がるようにして外部から視認可能となる。
【００８１】
このとき、液晶表示部２０においては、黒色の画面が表示されるか、非表示状態とされる。また、これとともに、前記光源以外のＬＥＤ等の演出用のランプ等が消灯状態とされる。これにより、特殊シート６１のマーク等を効果的に浮かび上がらせることができる。
【００８２】
このように、本実施の形態では、上記第１の実施の形態の作用効果に加えて、可変表示装置１４のみならず、その上方に配設された可動部材たる一対の風車２９Ａ，２９Ｂの前面側にも特殊シート６１が配置されている。このため、遊技者は、今までにはない趣を堪能することができる。すなわち、従来では、可動部材は動作することを前提としており、当該可動部材の前面側に所定の情報を表示しあり、前面側において何らかの演出を行うということは到底考えられなかった。この点、本実施の形態では、可動部材の前面側にも特殊シート６１を設けることで、かつてない演出を行うことができ、興趣の飛躍的な向上を図ることができる。
【００８３】
また、本実施の形態では、液晶表示部２０よりも遙かに大きな特殊シート６１にて再抽選演出表示が行われる。このため、表示領域の拡張、及び、浮上という演出を堪能することができ、興趣の向上という上記作用効果をさらに確実なものとすることができる。
【００８４】
（第３の実施の形態）
上記第１、第２の実施の形態では、１枚の特殊シート４１，６１を少なくとも液晶表示部２０に対応させて取着することとしている。この点、特殊シートの設置位置は何ら限定されるものではなく、例えば、第３の実施の形態のように構成することもできる。
【００８５】
図７に示すように、本実施の形態では、液晶表示部２０とは離間した位置において、一対の風車２９Ａ，２９Ｂに対応するようにして、２枚の特殊シート７１Ａ，７１Ｂが配置されている。また、本実施の形態においても、上記第１、第２の実施の形態と同様、特殊シート７１Ａ，７１Ｂはホログラムシール及びハーフミラーシールによって構成されている。
【００８６】
前記ホログラムシールには、所定の情報としての「風船」の絵（以下、単にマーク等という）が予め付されている。通常は、当該マーク等は視認不能又は視認困難となっている。また、各特殊シート７１Ａ，７１Ｂに対応して、一対の光源４４Ａ，４４Ｂが設けられている。そして、当該光源から所定の入射角からの光が照射されることで、前記マーク等が外部から視認されるようになっている。
【００８７】
本実施の形態では、再抽選が行われる場合には、まず、大当たり図柄停止後、図７に示すように、液晶表示部２０において２つの風船の絵が表示されるとともに、「風船が２個とも上にあがれば確変だよ」の文字が表示され、これから再抽選が行われる旨が遊技者に教示される。
【００８８】
通常モードとされる場合には、図８（ａ）に示すように、所定時間経過後、一方の光源４４Ａのみからの照射が許容され、一方の特殊シート７１Ａのマーク等のみが視認可能とされる。このとき、視認態様をより明らかなものとするべく、液晶表示部２０においては、黒色の画面が表示されるか、非表示状態とされる。また、これとともに、前記光源４４Ａ以外のＬＥＤ等の演出用のランプ等が消灯状態とされる。
【００８９】
その後、光源４４Ａが消灯状態とされ、図８（ｂ）に示すように、液晶表示部２０において、例えば「残念」或いは「通常モード」の旨が表示される。
【００９０】
これに対し、確変モードとされる場合には、所定時間経過後、双方の光源４４Ａ，４４Ｂからの照射が許容され、双方の特殊シート７１Ａ，７１Ｂのマーク等が視認可能とされる。このとき、視認態様をより明らかなものとするべく、液晶表示部２０においては、黒色の画面が表示されるか、非表示状態とされる。また、これとともに、前記光源４４Ａ以外のＬＥＤ等の演出用のランプ等が消灯状態とされる。これにより、特殊シート７１Ａ，７１Ｂに付された風船が視認可能となり、遊技者はそれまで液晶表示部２０に表示されていた２個の風船が上にあがったかのような印象を抱きうる。
【００９１】
このように、本実施の形態では、上記第１、第２の実施の形態の作用効果に加えて、液晶表示部２０とは離間した部位に特殊シート７１Ａ，７１Ｂが配置されている。このため、遊技者は、今までにはない趣を堪能することができる。すなわち、従来では、液晶表示部２０での演出表示を前提としており、当該液晶表示部２０や、セグメントランプ等とは離間した部位において何らかの演出を行うということは到底考えられなかった。この点、本実施の形態では、可動部材の前面側に、しかも、液晶表示部２０とは離間した位置に特殊シート７１Ａ，７１Ｂを設けることで、かつてない演出を行うことができ、興趣の飛躍的な向上を図ることができる。
【００９２】
また、本実施の形態では、複数の特殊シート７１Ａ，７１Ｂにて再抽選演出表示が行われる。このため、液晶表示部２０及び複数の特殊シート７１Ａ，７１Ｂを絡めた効果的な演出を堪能することができ、興趣の向上という上記作用効果をさらに確実なものとすることができる。
【００９３】
尚、上述した実施の形態の記載内容に限定されず、例えば次のように実施してもよい。
【００９４】
（ａ）上記各実施の形態では、特殊シート４１等を内側のガラス板Ｇに取着する構成としているが、外側のガラスに取着してもよい。また、上記例では、ホログラムシール４２をガラス板Ｇの遊技盤５側の面に、ハーフミラーシール４３をガラス板Ｇの外側の面にそれぞれ取着する構成としているが、いずれか一方の面（同じ側の面）に設けることとしてもよい。
【００９５】
（ｂ）上記各実施の形態で記した部位とは異なる部位に特殊シートを設けることとしても何ら差し支えない。例えば、遊技球Ｂを所定部位に狙い打ちさせるタイプの遊技機にあっては、当該所定部位に対応して取着することとしてもよい。この場合、所定の情報として「ここをねらって下さい」等のメッセージとしてもよい。
【００９６】
（ｃ）また、ガラス板Ｇ以外の部位に設けることとしてもよい。例えば、上皿６の正面側に特殊シートを設けてもよい。この場合、上皿６を中空状に構成することで、その内部に光源を設置することが考えられる。この場合、所定の情報として上皿６が満杯になったことを示すメッセージ、例えば「遊技球を取り出して下さい」であってもよい。
【００９７】
（ｄ）所定の情報としては、上記実施の形態のようなマークであってもよいし、絵、文字、数字、写真、立体画像等いかなるものであってもよい。また、二次元的なものであってもよいし、三次元的なものであってもよい。
【００９８】
（ｅ）上記各実施の形態では、遊技モードの教示に際し、所定の情報が視認可能となるよう構成されているが、リーチ予告時に、あるいは、ノーマルリーチよりも期待度の高いスーパーリーチ予告時に視認可能となるよう構成してもよいし、また、他の所定条件が成立した場合に光源からの光が照射され所定の情報が視認可能となるよう構成してもよい。他の所定条件としては、例えば、遊技者に有利な大当たり状態発生時（例えば大当たり報知時）であること、大当たり発生フラグが成立した場合であること、大当たり予告が行われるときであること、又は、所定の情報を伝達する必要のあるときであること、所定の情報の伝達が効果的であるタイミングに達したこと等が挙げられる。
【００９９】
（ｆ）上記実施の形態では詳細に言及していないが、光源４４からの光を特殊シート４１に適正に導くための光案内手段５１を設ける構成としてもよい。なお、この場合、内周側に鏡面加工を施すこととするのが好ましい。
【０１００】
（ｇ）上記各実施の形態では１つの特殊シートに対応して１つの光源を設ける場合に具体化しているが、光源を複数箇所に設けることとしてもよい。この場合、発光光源を切換可能としてもよい。そして、当該切換に基づき、外部からの所定の情報の視認態様が相違するよう構成してもよい。特に、上記実施の形態のように特殊シート４１，６１，７１Ａ，７１Ｂがホログラムを備えている場合には、光の照射角度の切換で視認態様を異ならせることを比較的容易に行うことができる。例えば、上記光源４４，４４Ａ，４４Ｂの他に、作動チャッカー１３両側の普通入賞チャッカー１１又はその近傍に光源を設けることが考えられる。
【０１０１】
（ｈ）上記各実施の形態では、光源４４，４４Ａ，４４Ｂを固定的に設置する場合について具体化しているが、光源を移動可能に設けることとしてもよい。そして、当該移動に基づき、外部からの所定の情報の視認態様が相違するよう構成してもよい。特に、上記実施の形態のように特殊シート４１，６１，７１Ａ，７１Ｂがホログラムを備えている場合には、光の照射角度の変化でもって視認態様を異ならせることを比較的容易に行うことができる。
【０１０２】
（ｉ）上記実施の形態とは異なるタイプのパチンコ機にも適用してもよい。従って、可変表示装置１４のないパチンコ機にも応用できる。また、パチンココンピュータ（通称パチコン）と称される遊技機も、ここにいうパチンコ機と同じ概念に含まれるものである。また、本発明は、パチンコ機以外にも雀球、アレンジボール等の遊技機にも応用可能である。さらには、スロットマシン、パチンコ機とスロットマシンとが融合した遊技機等の各種遊技機として実施することも可能である。なお、スロットマシンは、例えばコインを投入して図柄有効ラインを決定させた状態で操作レバーを操作することによりリールが回動し、図柄が変動され、ストップボタンを操作することにより図柄が停止されて確定される周知のものである。この場合、遊技媒体はコイン、メダル等が代表例として挙げられる。
【０１０３】
なお、スロットマシンは本体部を構成する本体ボックスと、その前面側において開閉可能に支持された前面パネルとを備える。この場合、前面パネルの下部には、一般には機種名が表示される樹脂パネルが設けられるが、当該樹脂パネルを表示手段としてもよい。また、この場合、本体ボックス内の所定位置（例えばリールを支持する支持部等）に光源が設けられることとしてもよい。
【０１０４】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【０１０５】
（ｊ）上記各実施の形態では特に言及していないが、特殊シート４１，６１，７１Ａ，７１Ｂに付されたマーク等の所定の情報が、遊技盤５に設置された各種ランプや液晶表示部２０からの光では外部からは依然として視認困難に構成されていること、及び、光源４４，４４Ａ，４４Ｂからの照射光が前記各種ランプの輝度よりも高く設定されていることが望ましい。かかる構成とすることで、光源４４，４４Ａ，４４Ｂからの光が照射された場合にのみ外部から所定の情報が視認されることとなり、そのときどき応じた適正な報知、教示等が可能となる。
【図面の簡単な説明】
【図１】第１の実施の形態におけるパチンコ機を示す正面図である。
【図２】ガラス扉枠を開いたパチンコ機を上方からみた状態を簡易的に示す斜視図である。
【図３】主要部を模式的に示す拡大部分断面図である。
【図４】作用を説明するパチンコ機の正面図である。
【図５】第２の実施の形態におけるパチンコ機を示す正面図である。
【図６】（ａ）は第２の実施の形態の作用を示す液晶表示部の正面模式図であり、（ｂ）は特殊シートの視認態様例を示す模式図である。
【図７】第３の実施の形態におけるパチンコ機を示す正面図である。
【図８】（ａ）は第３の実施の形態の作用を示す特殊シート等の視認態様例を示す模式図であり、（ｂ）は液晶表示部の正面模式図である。
【図９】（ａ）は第３の実施の形態の作用を示す特殊シート等の視認態様例を示す模式図であり、（ｂ）は液晶表示部の正面模式図である。
【符号の説明】
１…遊技機としてのパチンコ機、２…外枠、３…前面枠、４…ガラス扉枠（前面扉体）、５…遊技盤、４１，６１，７１Ａ，７１Ｂ…表示手段を構成する特殊シート、４２…表示手段を構成するホログラムシール、４３…表示手段を構成するハーフミラーシール、４４，４４Ａ，４４Ｂ…光源、Ｂ…遊技媒体としての遊技球、Ｇ…透明部材としてのガラス板。
【図１】
2004065948.tif 000003
【図２】
2004065948.tif 000004
【図３】
2004065948.tif 000005
【図４】
2004065948.tif 000006
【図５】
2004065948.tif 000007
【図６】
2004065948.tif 000008
【図７】
2004065948.tif 000009
【図８】
2004065948.tif 000010
【図９】
2004065948.tif 000011